(57)【特許請求の範囲】
【請求項１】
農業用の溜池や河川や海岸等の法面を覆って保護する昇降用張ブロックであって、
前記法面の傾斜を昇降自在とする階段部と、
前記階段部の左右側に上下方向の全体にわたって設けられた偏平部と、
左右の前記偏平部のうち少なくともいずれか一方の前記偏平部に少なくとも上下２箇所に設けられ、前記偏平部の上側面に開口した手摺設置部と、
両端の手摺基部がそれぞれ前記手摺設置部に挿入されて固定された略逆Ｕ字状の手摺と、を備え、
前記手摺設置部は、昇降用張ブロックの上側面に開口部を有する凹状に形成した手摺挿入孔からなり、
前記手摺挿入孔の開口部は、前記手摺基部が少なくとも２本挿入できる大きさを有し、
前記偏平部の左右外側の側面である左右側端面に当接した状態で設けられる他の張ブロックと共に敷設されて前記法面を覆うことを特徴とする昇降用張ブロック。
【請求項２】
前記手摺挿入孔は、昇降用張ブロックを前記法面に設置した際、略鉛直方向に立設する基準内周壁を有することを特徴とする請求項１に記載の昇降用張ブロック。
【請求項３】
前記手摺挿入孔は、断面視略逆台形状に形成したことを特徴とする請求項１または請求項２に記載の昇降用張ブロック。
【発明の詳細な説明】
【技術分野】
【０００１】
本発明は、農業用の溜池や河川や海岸等の法面を覆って保護する構造物であり、手摺の設置を容易とした昇降用張ブロックに関する。
【背景技術】
【０００２】
従来、農業用の溜池や河川や遊水地、海岸等の法面の崩壊を防止するための護岸工事にはコンクリート２次製品である張ブロックが使用されている。張ブロックは法面の保護を目的とするが、護岸警備や溜池等の清掃、散歩等のために法面を歩行により昇降する必要性があった。
【０００３】
また、護岸警備や清掃等は専門の警備員や作業員による対応よりも農業従事者や町内会単位での取り組みが一般的であり、高齢化社会となった現在では、高齢化率が高まっている農業や、町内会等での地域貢献活動等において、高齢者が法面を昇降する機会が増加している。
【０００４】
そのため、高齢者であっても法面を安全に昇降できるようにするために、例えば、特許文献１には張ブロック自体を１段の階段として形成し、これを上下に連設して敷設することで連続した階段機能を備えた張ブロックとする技術が開示されている。
【先行技術文献】
【特許文献】
【０００５】
【特許文献１】特開２００５−２９０９４７号公報
【発明の概要】
【発明が解決しようとする課題】
【０００６】
確かに特許文献１に記載の技術によれば、法面の傾斜を歩行により昇降することができ、しかも、法面の保護も同時に達成できる点で優れている。
【０００７】
しかしながら、特許文献１に記載の張ブロックでは、足腰に不安を抱える高齢者が法面を安全に昇降するには法面に階段を形成するのみでは不充分であった。
【０００８】
本発明は、以上のような事情に鑑みてなされたものであり、足腰に不安を抱える高齢者であっても法面を安全に昇降できるように手摺を設置可能に形成した昇降用張ブロックを提供することにある。
【課題を解決するための手段】
【０００９】
以上のような目的を達成するために、本発明は以下の技術を提供する。
【００１０】
請求項１に係る発明は、農業用の溜池や河川や海岸等の法面を覆って保護する昇降用張ブロックであって、前記法面の傾斜を昇降自在とする階段部と、前記階段部の左右側に上下方向の全体にわたって設けられた偏平部と、左右の前記偏平部のうち少なくともいずれか一方の前記偏平部に少なくとも上下２箇所に設けられ、前記偏平部の上側面に開口した手摺設置部と、両端の手摺基部がそれぞれ前記手摺設置部に挿入されて固定された略逆Ｕ字状の手摺と、を備え、前記手摺設置部は、昇降用張ブロックの上側面に開口部を有する凹状に形成した手摺挿入孔からなり、前記手摺挿入孔の開口部は、前記手摺基部が少なくとも２本挿入できる大きさを有し、前記偏平部の左右外側の側面である左右側端面に当接した状態で設けられる他の張ブロックと共に敷設されて前記法面を覆うものである。
【００１２】
請求項２に係る発明は、請求項１に記載の昇降用張ブロックにおいて、前記手摺挿入孔は、昇降用張ブロックを前記法面に設置した際、略鉛直方向に立設する基準内周壁を有するものである。
【００１３】
請求項３に係る発明は、請求項１または請求項２に記載の昇降用張ブロックにおいて、前記手摺挿入孔は、断面視略逆台形状に形成したものである。
【発明の効果】
【００１６】
請求項１に記載の発明によれば、手摺設置部を備えたことにより、法面の保護のみならず、手摺を設置するための別部材を使用することなく必要に応じて容易に手摺を設置することができ、高齢者や足腰に不安を抱える者であっても手摺を掴まりながら法面の傾斜を昇降することができる。
また、手摺設置部を階段部の少なくとも左右側の一方に１箇所以上備えたことにより、上下方向の階段のピッチ（蹴上げ）、及び踏み面の奥行きを人が昇降しやすい寸法に設定しやすくなり、しかも、手摺の位置が階段の昇降動作を妨げることなく、容易に手摺を把持することができるようになる。
【００１７】
また、法面の傾斜を昇降自在とする階段部を備えたことにより、法面の傾斜を容易に昇降でき、しかも、高齢者や足腰に不安を抱える者であっても手摺を掴まりながら安全に階段を昇降することができる。
【００１８】
また、手摺設置部は、昇降用張ブロックの上側面に開口部を有する凹状に形成した手摺挿入孔からなり、手摺挿入孔の開口部は、手摺基部が少なくとも２本挿入できる大きさを有することより、該孔に手摺基部を挿入しつつコンクリートを充填することで手摺と一体となった昇降用張ブロックを極めて容易に形成することができる。
【００１９】
請求項２に記載の発明によれば、手摺挿入孔は、昇降用張ブロックを法面に設置した際、略鉛直方向に立設する基準内周壁を有することにより、手摺挿入孔に手摺基部を挿入する際、手摺基部の外側面を基準内周壁に当接させながら該孔にコンクリートを充填して固定するだけで、手摺基部から立ち上がる手摺支柱を極めて容易に略鉛直方向に立設することができる。
【００２０】
請求項３に記載の発明によれば、手摺挿入孔は、断面視略逆台形状に形成したことにより、昇降用張ブロックの製造時に昇降用張ブロックを型枠から抜けやすくすると共に、手摺を設置する際に手摺挿入孔に挿入した手摺基部の固定に充分な量のコンクリートを充填することができる。
【図面の簡単な説明】
【００２２】
【図１】手摺を設置した昇降用張ブロック等を法面に敷設した斜視説明図である。
【図２】手摺を設置していない昇降用張ブロック等を法面に敷設した正面図である。
【図３】（ａ）は本実施形態に係る昇降用張ブロックの正面図で、(ｂ)は右側面図である。
【図４】（ａ）は図３（ａ）におけるＡ−Ａ線断面図で、（ｂ）はＢ−Ｂ線断面図である。
【図５】手摺を設置した昇降用張ブロックを連設して法面に敷設した簡易右側面図である。
【図６】（ａ）は本実施形態に係る昇降用張ブロックの正面図で、(ｂ)は右側面図である。
【図７】手摺を設置した昇降用張ブロックを連設して法面に敷設した簡易右側面図である。
【発明を実施するための形態】
【００２３】
この発明に係る昇降用張ブロックは、農業用の溜池や河川や海岸等の法面を覆って保護する昇降用張ブロックであって、手摺を取り付け自在とする手摺設置部を備えたことを特徴とする。すなわち、足腰に不安を抱える高齢者であっても法面を安全に昇降できるように手摺を設置可能に形成した昇降用張ブロックを提供することにある。
【００２４】
以下、この発明の実施形態を図面に基づき詳説するが、左右同一又は左右対称等の構造や部品については、原則として同一の符号を付し、左右何れか一方のみを説明して、他方については説明を適宜省略する。
【００２５】
また、図３（ａ）、図６（ａ）に示す本実施形態に係る昇降用張ブロック１，４１は正面図であり、紙面に対して右側を上部、左側を下部、上側を左、下側を右として示しており、従って、図３（ｂ）、図６（ｂ）は昇降用張ブロック１，４１の右側面図を示している。また、このような位置関係を基準として以下の説明を行っている。
【００２６】
［実施形態］
本実施形態に係る昇降用張ブロック１は、図１、図２に示すように、農業用の溜池や河川や海岸等の法面Ｋを覆って保護する昇降用張ブロック１であって、手摺Ｔを取り付け自在とする手摺設置部２を備えており、更に、法面Ｋの傾斜を昇降自在とする階段部３を備えている。
【００２７】
なお、本実施形態に係る昇降用張ブロック１は、手摺設置部２や階段部３を有さない通常の張ブロックＨと共に敷設される。
【００２８】
具体的には、法面Ｋの傾斜に沿って略正方形状の複数の昇降用張ブロック１を上下に連設すると共に、昇降用張ブロック１の左右側端面には昇降用張ブロック１と同外形もしく半分の外形の張ブロックＨ１，Ｈ２の側端面を当接させ敷設し、それ以外の法面Ｋも含めて複数の張ブロックＨで法面Ｋを覆っている。
【００２９】
また、昇降用張ブロック１と張ブロックＨの上下左右側端面には、図３（ａ）、（ｂ）に示すように、係合凸部１８と係合凹部２２を形成しており、昇降用張ブロック１等を法面Ｋに敷設した際、係合凸部１８と係合凹部２２との係合により昇降用張ブロック１等がずれることなく一体となって法面Ｋを被覆して保護するように構成している。
【００３０】
このように施工された法面Ｋは、昇降用張ブロック１が備える階段部３により法面Ｋの傾斜を容易に昇降することができる。しかも、法面Ｋが存在する地域環境や条件により手摺Ｔが必要であれば、昇降用張ブロック１が備える手摺設置部２に手摺Ｔを容易に設置することができる。
【００３１】
以下、本実施形態に係る昇降用張ブロック１の構成について図面を参照しながら具体的に詳述する。
【００３２】
図３（ａ）、（ｂ）に示すように、昇降用張ブロック１は正面視略正方形状で側面視略偏平状のコンクリート２次製品であり、階段部３として表面に滑り防止部７を形成した３段の階段４（４ａ，４ｂ，４ｃ）を形成している。階段部３の左右側には厚みが均一な正面視矩形状の偏平部１６（１６ａ，１６ｂ）を形成し、右偏平部１６ｂの上側面１０において上下端部側に手摺設置部２を形成している。
【００３３】
また、右偏平部１６ｂが位置する側端面には隣接して２つの第一係合凸部１８ａ，１８ａを突設し、階段部３の最上段の階段４ｃが位置する側端面には第二係合凸部１８ｂを突設している。
【００３４】
また、第一係合凸部１８ａと対向する左偏平部１６ａが位置する側端面には側端面及び下底面に開口を形成し第一係合凸部１８ａが係合可能な第一係合凹部２２ａを形成し、第二係合凸部１８ｂと対向する最下段の階段４ａが位置する側端面には側端面及び下底面に開口を形成し第二係合凸部１８ｂが係合可能な第二係合凹部２２ｂを形成している。なお、昇降用張ブロック１の底面側は、係合凹部２２を除き凹凸のない偏平状に形成している。
【００３５】
階段部３を構成する階段４は、図３（ａ）、（ｂ）に示すように偏平部１６の上側面１０から三角形状に突設しており、一方の緩やかな傾斜をなす面を踏み面５とし、他方の急な傾斜をなす面を階段の高さとする蹴上げ６とし、これらの交点を頂点とする直角三角形状に形成している。また、踏み面５には滑り防止部７として円錐台状の複数の小さな突起８を千鳥配置している。なお、突起８は、階段４を昇降する足の足裏に踏まれやすい踏み面５の蹴上げ６側に重点的に形成している。
【００３６】
踏み面５は、昇降用張ブロック１を法面Ｋに敷設した際、略水平となり、蹴上げ６は略垂直となるように形成しており、踏み面５と蹴上げ６をこのように構成することで法面Ｋの傾斜を昇降しやすい階段部３をなすことができる。
【００３７】
また、一方の階段４ａ，（４ｂ）の踏み面５の端部と、他方の階段４ｂ，（４ｃ）の蹴上げ６の端部との交点は、断面視で偏平部１６の高さよりも低い箇所に形成している。
【００３８】
第一係合凸部１８ａは、右偏平部１６ｂの側端面において右偏平部１６ｂの厚みの略下半分に隣接して２箇所形成している。第一係合凸部１８ａは、上底１９ａを外側に向けた平面視台形状で、下底２０ａ側から上底１９ａ側にかけて昇降用張ブロック１の下側に向け緩やかに傾斜している。
【００３９】
また、第二係合凸部１８ｂは、上底１９ｂを外側に向けた正面視台形状で、下底２０ｂ側から上底１９ｂ側にかけて昇降用張ブロック１の下側に向け緩やかに傾斜している。
【００４０】
第一係合凹部２２ａと第二係合凹部２２ｂは共に同様の形状で構成しており、それぞれ左偏平部１６ａと最下段の階段４ａの側端面に形成している。ここでは、第二係合凹部２２ｂを説明することで第一係合凹部２２ａの説明を省略する。
【００４１】
第二係合凹部２２ｂは、図３（ｂ）に示すように、最下段の階段４ａの側端面の略下半分を切欠して第二係合凹部２２ｂを形成し、第二係合凹部２２ｂの内側壁を形成する切欠上面２３は外側に拡開するよう緩やかに傾斜させている。
【００４２】
すなわち、この傾斜は、第二係合凸部１８ｂに形成した傾斜と同様の角度で形成しており、図４（ａ）、図５に示すように、昇降用張ブロック１を連設した際、第二係合凸部１８ｂと第二係合凹部２２ｂとが嵌合するように形成している。
【００４３】
また、図１、図２に示すように、法面Ｋに昇降用張ブロック１と通常の張ブロックＨを敷設する際、第一係合凸部１８ａと嵌合するのは通常の張ブロックＨであり、該張ブロックＨにも第一係合凹部（図示せず）を形成することで昇降用張ブロック１と嵌合して全体として一体となるように連設することができる。
【００４４】
また、本実施形態においては、通常の張ブロックＨの上下左右の側端面に本実施形態に係る昇降用張ブロック１が備える第一・第二係合凸部１８ａ，１８ｂと第一・第二係合凹部２２ａ，２２ｂを同様に形成することで、法面Ｋの護岸工事を容易に行うことができる。
【００４５】
なお、本実施形態に係る昇降用張ブロック１では第一係合凸部１８ａを２箇所形成し、第二係合凸部１８ｂを１箇所形成しているが、係合凸部１８の数や形状は本実施形態に限定されるものではなく本発明の要旨の範囲内において種々の変形・変更が可能である。
【００４６】
ここで、上述した実施形態に係る昇降用張ブロック１は、階段部３を３段の階段４で構成しているが、例えば、図６（ａ）、（ｂ）、図７に示すように、１段の階段４ａで１つの昇降用張ブロック４１を形成してもよく、また、２段以上の階段４を備えてもよく、更には、階段部３を形成せずに手摺設置部２のみを形成しても本発明の要旨の範囲内である。
【００４７】
次に、本実施形態に係る昇降用張ブロック１の要部をなす手摺設置部２について説明する。
【００４８】
手摺設置部２は、図３（ａ）、（ｂ）、図４（ｂ）に示すように、昇降用張ブロック１の右偏平部１６ｂの上側面１０に開口部１２を有する凹状に形成した手摺挿入孔１１からなる。
【００４９】
また、手摺挿入孔１１は、昇降用張ブロック１を法面Ｋに設置した際、略鉛直方向に立設する基準内周壁１３を有する断面視略逆台形状に形成している。
【００５０】
このように形成することで、図１、図５に示すように、手摺挿入孔１１に略逆Ｕ字状の手摺Ｔの手摺基部Ｔ２を挿入して固定すれば手摺Ｔと一体になった昇降用張ブロック１を形成することができる。
【００５１】
具体的には、手摺挿入孔１１の開口部１２は断面視略逆台形状の下底に相当する開口であり、手摺支柱Ｔ１の手摺基部Ｔ２が少なくとも２本以上挿入できる程度の大きさに形成すると共に、開口部１２の幅員は、手摺基部Ｔ２の直径と同程度に形成することで左右方向のガタを抑制している。
【００５２】
また、開口部１２の幅員は、断面視略逆台形状の上底に相当する手摺挿入孔１１の底部１４に至るまで同幅で形成し、底部１４は挿入した手摺基部Ｔ２の下端部が当接する程度の大きさに形成している。
【００５３】
また、基準内周壁１３の角度は階段４の蹴上げ６と略同角度であり、図５に示すように、手摺挿入孔１１に手摺基部Ｔ２の周面を基準内周壁１３に当接させながら挿入し、余剰空間にコンクリートを充填して硬化させれば手摺支柱Ｔ１を略鉛直方向に立設させることができる。
【００５４】
なお、本実施形態に係る手摺挿入孔１１の底部１４は、断面視略逆台形状の下底に相当する開口部１２と平行に形成しているが、例えば、階段４を構成する踏み面５と略同角度に形成してもよい。
【００５５】
また、本実施形態では手摺設置部２を凹状に形成した手摺挿入孔１１として説明しているが、これに限定されるものではなく、昇降用張ブロック１に手摺Ｔを設置可能であれば、例えば、貫通孔であってもよい。
【００５６】
ここで、上述した実施形態に係る昇降用張ブロック１は、手摺設置部２を２箇所形成しているが、図６（ａ）、（ｂ）、図７に示すように、手摺設置部２を１箇所のみ形成した昇降用張ブロック４１であっても１箇所以上備えていれば本発明の要旨の範囲内である。
【００５７】
以上、説明したように本実施形態に係る昇降用張ブロック１は構成しており、手摺Ｔを取り付け自在とする手摺設置部２を備えたことにより、法面Ｋの保護のみならず、手摺を設置するための別部材を使用することなく必要に応じて容易に手摺Ｔを設置することができ、高齢者や足腰に不安を抱える者であっても手摺Ｔを掴まりながら法面Ｋの傾斜を昇降することができる。
【００５８】
また、法面Ｋの傾斜を昇降自在とする階段部３を備えたことにより、法面Ｋの傾斜を容易に昇降でき、しかも、高齢者や足腰に不安を抱える者であっても手摺Ｔを掴まりながら安全に階段４を昇降することができる。
【００５９】
また、手摺設置部２は、昇降用張ブロック１の上側面１０に開口部１２を有する凹状に形成した手摺挿入孔１１からなることより、該孔１１に手摺基部Ｔ２を挿入しつつコンクリートを充填することで手摺Ｔと一体となった昇降用張ブロック１を極めて容易に形成することができる。
【００６０】
また、手摺挿入孔１１は、昇降用張ブロック１を法面Ｋに設置した際、略鉛直方向に立設する基準内周壁１３を有することにより、手摺挿入孔１１に手摺基部Ｔ２を挿入する際、手摺基部Ｔ２の外側面を基準内周壁１３に当接させながら該孔１１にコンクリートを充填して固定するだけで、手摺基部Ｔ２から立ち上がる手摺支柱Ｔ１を極めて容易に略鉛直方向に立設することができる。
【００６１】
また、手摺挿入孔１１は、断面視略逆台形状に形成したことにより、昇降用張ブロック１の製造時に昇降用張ブロック１を型枠から抜けやすくすると共に、手摺Ｔを設置する際に手摺挿入孔１１に挿入した手摺基部Ｔ２の固定に充分な量のコンクリートを充填することができる。
【００６２】
更に、階段部３は少なくとも１段以上の階段４を備え、手摺設置部２を階段部３の少なくとも左右側の一方に１箇所以上備えたことにより、上下方向の階段４のピッチ（蹴上げ６）、及び踏み面５の奥行きを人が昇降しやすい寸法に設定しやすくなり、しかも、手摺Ｔの位置が階段４の昇降動作を妨げることなく、容易に手摺Ｔを把持することができるようになる。
【００６３】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００６４】
Ｋ  法面
Ｔ  手摺
１  昇降用張ブロック
２  手摺設置部
３  階段部
４  階段
１０  上側面
１１  手摺挿入孔
１２  開口部
１３  基準内周壁
【要約】
【課題】足腰に不安を抱える高齢者であっても法面を安全に昇降できるように手摺を設置可能に形成した昇降用張ブロックを提供する。
【解決手段】本発明に係る昇降用張ブロックは、農業用の溜池や河川や海岸等の法面を覆って保護する昇降用張ブロックであって、手摺を取り付け自在とする手摺設置部を備えたことを特徴とする。
【選択図】図１【図１】
0006039039.tif 000002
【図２】
0006039039.tif 000003
【図３】
0006039039.tif 000004
【図４】
0006039039.tif 000005
【図５】
0006039039.tif 000006
【図６】
0006039039.tif 000007
【図７】
0006039039.tif 000008